(57)【特許請求の範囲】
【請求項１】
磁気熱量効果を有する磁性体と当該磁性体の熱を輸送する熱伝導部とを交互に配置する熱輸送器と、
前記熱輸送器の一端に前記熱伝導部を介して配置する低温側熱交換部と、
前記熱輸送器の他端に前記熱伝導部を介して配置する高温側熱交換部と、
前記熱輸送器の各磁性体に選択的に磁気を印加し除去する磁気印加除去部と、を有し、
各熱伝導部は、前記磁気印加除去部が各磁性体に印加し除去する磁気を利用して前記各磁性体との並び方向に伸縮し、各磁性体との熱伝導を断続することを特徴とする磁気冷暖房装置。
【請求項２】
前記各熱伝導部は、前記磁気印加除去部が各磁性体に印加し除去する磁気から生じる吸引力と反発力とによって前記各磁性体との並び方向に伸縮することを特徴とする請求項１に記載の磁気冷暖房装置。
【請求項３】
前記各熱伝導部は、前記磁気印加除去部が各磁性体に磁気を印加し除去するタイミングと同期して伸縮することを特徴とする請求項１または２に記載の磁気冷暖房装置。
【請求項４】
前記各熱伝導部は、伸縮が容易で伸縮の周波数応答性が良好な柔軟性材料と前記磁気印加除去部の磁気を受けて吸引力と反発力を生じる磁性材料とで構成されることを特徴とする請求項１〜３のいずれかに記載の磁気冷暖房装置。
【請求項５】
前記熱輸送器の各磁性体に選択的に磁気を印加し除去するため前記磁気印加除去部を駆動するモータと、
運転条件に応じて前記モータの回転速度を制御するモータ制御部と、
を有することを特徴とする請求項１〜４のいずれかに記載の磁気冷暖房装置。
【請求項６】
前記運転条件は、前記熱輸送器の要求熱量、前記低温側熱交換部と前記高温側熱交換部との間の温度差の少なくともいずれかであることを特徴とする請求項５に記載の磁気冷暖房装置。
【請求項７】
少なくとも前記熱輸送器は、真空内、または減圧下の環境内に設置されていることを特徴とする請求項１〜６のいずれかに記載の磁気冷暖房装置。
【発明の詳細な説明】
【技術分野】
【０００１】
本発明は、磁気冷暖房装置に係り、特に、磁気熱量効果を発現する磁性体の熱を、当該磁性体に作用させる磁気により熱伝導を制御する熱伝導部を利用して輸送する磁気冷暖房装置に関する。
【背景技術】
【０００２】
従来用いられている室温域の冷凍機、例えば、冷蔵庫、冷凍庫、エアコンなどの冷凍機の大半は、フロンガスや代替フロンガスなどの気体冷媒の相変化を利用している。最近では、フロンガスの排出に伴うオゾン層破壊の問題が露呈し、さらに、代替フロンガスの排出に伴う地球温暖化への影響も懸念されている。このため、フロンガスや代替フロンガスなどの気体冷媒を用いた冷凍機に代わる、クリーンでかつ熱輸送能力の高い、革新的な冷凍機の開発が強く望まれている。
【０００３】
このような背景から、最近になって注目されるようになった冷凍技術が磁気冷凍技術である。磁性体の中には、その磁性体に印加する磁界の大きさが変化すると、その変化に応じて自身の温度を変化させる、いわゆる磁気熱量効果を発現するものがある。この磁気熱量効果を発現する磁性体を利用して熱を輸送する冷凍技術が磁気冷凍技術である。
【０００４】
磁気冷凍技術を応用した冷凍機としては、例えば、下記特許文献１に記載されているような、固体物質の熱伝導を利用して熱を輸送する磁気冷凍機がある。この磁気冷凍機は以下のような構成によって熱を伝導させる。
【０００５】
磁気を印加すると温度が上昇する正の磁性体と、磁気を印加すると温度が下降する負の磁性体とを、所定の間隔で交互に複数一方向に並べて配置する。正負一対の磁性体で１つの磁性体ブロックを形成する。一方向に並ぶ複数の磁性体ブロックを環状に複数配置して磁性体ユニットを形成する。この磁性体ユニットと同心で内径と外径が略等しいハブ状の回転体に永久磁石を配置して磁気印加除去部を形成する。正負の磁性体との間を挿脱する熱伝導部材を正負の磁性体との間で摺動自在となるように配置する。
【０００６】
永久磁石が配置されている回転体を磁性体ユニットと対向するように配置して磁性体ユニットに対し相対的に回転させる。正負の磁性体との間で挿脱される熱伝導部材を磁性体ユニットに対し相対的に回転させる。この回転体の回転によって正負の磁性体に同時に磁気が印加されまた除去される。また、熱伝導部材が回転方向に並ぶ正負の磁性体との間で挿脱される。永久磁石と熱伝導部材が回転することで、磁気熱量効果により磁性体が発生する熱を磁性体が配置される一方向に熱伝導部材を介して輸送する。
【先行技術文献】
【特許文献】
【０００７】
【特許文献１】特開２００７−１４７２０９号公報
【発明の概要】
【発明が解決しようとする課題】
【０００８】
しかしながら、上記特許文献１に記載されている発明の場合、磁性体が発生する熱を輸送するときに、熱伝導部材が正負の磁性体との間で挿脱される。熱伝導部材は正負の磁性体との間で摺動を繰り返すことから、熱伝導部材に耐久性を持たせる必要がある。また、熱伝導部材の摺動に伴い、磁性体との間で生じる摩擦により機械的な損失が発生する。
【０００９】
さらに、熱伝導部材は正負の磁性体との間で摺動を繰り返すことから、実際には、構造上一方向にのみ熱を輸送することはできず、熱の輸送に際して熱的な損失が発生する。
【００１０】
熱的な損失は次のような理由から発生する。
【００１１】
熱伝導部材が熱伝導部材を挟む磁性体間にあるときには、熱伝導部材を挟む磁性体間でのみ熱が輸送される。ところが熱伝導部材が回転方向に隣り合う磁性体とまたがる位置にあるときには、熱伝導部材を挟む磁性体間だけでなく、回転方向に隣り合う磁性体間にも熱が輸送される。回転方向に隣り合う磁性体に輸送される熱は損失となり、磁気冷凍機の熱輸送能力及び熱輸送効率の低下を招く。
【００１２】
本発明は、上記の問題を解決するために成されたものであり、摺動の耐久性を持たせる必要がなく、機械的および熱的な損失が極めて小さく、熱輸送能力及び熱輸送効率を向上させることができる、磁気冷暖房装置の提供を目的とする。
【課題を解決するための手段】
【００１３】
上記目的を達成するための本発明に係る磁気冷暖房装置は、熱輸送器、低温側熱交換部、高温側熱交換部及び磁気印加除去部を有する。
【００１４】
熱輸送器は、磁気熱量効果を有する磁性体と当該磁性体の熱を輸送する熱伝導部とを交互に配置する。低温側熱交換部は、前記熱輸送器の一端に前記熱伝導部を介して配置する。高温側熱交換部は、前記熱輸送器の他端に前記熱伝導部を介して配置する。磁気印加除去部は、前記熱輸送器の各磁性体に選択的に磁気を印加し除去する。各熱伝導部は、磁気印加除去部が各磁性体に印加し除去する磁気を利用して各磁性体との並び方向に伸縮し、各磁性体との熱伝導を断続する。
【発明の効果】
【００１５】
本発明に係る磁気冷暖房装置によれば、各熱伝導部は、磁気印加除去部が各磁性体に印加し除去する磁気を利用して伸縮するので、磁性体、低温側熱交換部、高温側熱交換部に対して摺動させずに熱を輸送させることができる。このため、各熱伝導部に摺動の耐久性を持たせる必要がなく、各熱伝導部の信頼性が向上する。また、摩擦による機械的な損失をなくすことができる。
【００１６】
また、各熱伝導部は各磁性体との並び方向にのみ熱を輸送できるので、熱の輸送に際して熱的な損失が小さくできる。各熱伝導部は磁気印加除去部の磁気を利用して伸縮するので、熱伝導を制御する専用の装置を設ける必要がなく、磁気冷暖房装置の構成を簡素化できる。
【００１７】
さらに、各熱伝導部は、伸縮に応じて、磁性体間、磁性体と低温側熱交換部との間、磁性体と高温側熱交換部との間を、全ての接触面を使って接続するので、熱輸送能力及び熱輸送効率を向上させることができる。
【図面の簡単な説明】
【００１８】
【図１】本発明に適用する磁気冷暖房の原理図である。
【図２】本発明の磁気冷暖房の効果を示すグラフである。
【図３】図１の原理図において熱が移動していく様子を説明するための図である。
【図４】本実施形態に係る熱伝導部の構造図である。
【図５】本実施形態に係る磁気冷暖房装置の固定部の構成図である。
【図６】本実施形態に係る磁気冷暖房装置の回転部の構成図である。
【図７】本実施形態に係る磁気冷暖房装置の断面図である。
【図８】本実施形態に係る磁気冷暖房装置の制御系のブロック図である。
【図９】図８の空調情報入力部のさらに具体的な制御系のブロック図である。
【図１０】本実施形態に係る磁気冷暖房装置の動作フローチャートである。
【発明を実施するための形態】
【００１９】
まず、本発明の実施形態の説明をする前に、本発明に適用する磁気冷暖房の原理を図面に基づいて詳細に説明する。
【００２０】
（磁気冷暖房の原理）
図１は、本発明に適用する磁気冷暖房の原理図である。磁性体１０Ａ−１０Ｆには、発現される磁気熱量効果の種類が同じ同一材料の磁性体として正の磁性体を用いる。
【００２１】
磁気印加除去部２０Ａ、２０Ｂ、磁気印加除去部２０Ｃ、２０Ｄ、磁気印加除去部２０Ｅ、２０Ｆは、磁性体１０Ａ−１０Ｆを挟むようにして、磁性体１０Ａ−１０Ｆの間で往復移動する。つまり、図１Ａの状態から、磁気印加除去部２０Ａ、２０Ｂが磁性体１０Ａから１０Ｂに、磁気印加除去部２０Ｃ、２０Ｄが磁性体１０Ｃから１０Ｄに、磁気印加除去部２０Ｅ、２０Ｆが磁性体１０Ｅから１０Ｆに、一斉に移動して、図１Ｂの状態になる。
【００２２】
次に、図１Ｂの状態から、磁気印加除去部２０Ａ、２０Ｂが磁性体１０Ｂから１０Ａに、磁気印加除去部２０Ｃ、２０Ｄが磁性体１０Ｄから１０Ｃに、磁気印加除去部２０Ｅ、２０Ｆが磁性体１０Ｆから１０Ｅに、一斉に移動して、磁気印加除去部と磁性体の位置関係が図１Ａの状態に戻る。したがって、磁気印加除去部が往復移動すると、図１Ａと図１Ｂの状態が交互に繰り返される。
【００２３】
本実施形態では、磁性体１０Ａ−１０Ｆには正の磁性体を用いている。しかし、負の磁性体を用いても良い。正の磁性体は磁気印加除去部２０Ａ−２０Ｆで磁気を印加すると発熱し除去すると吸熱する。一方、負の磁性体は磁気印加除去部２０Ａ−２０Ｆで磁気を印加すると吸熱し除去すると発熱する。このように、正の磁性体と負の磁性体とでは、発現される磁気熱量効果が正反対であり、磁気熱量効果の種類が異なる。本実施形態の場合、負の磁性体に比較して安価で発熱量が大きい正の磁性体を用いる。負の磁性体は希少な磁性材料から製造しなければならないのでコスト高になり、また、負の磁性体の磁気熱量効果の大きさが正の磁性体の磁気熱量効果の大きさよりも小さいからである。
【００２４】
磁気印加除去部２０Ａ−２０Ｆには永久磁石を用いる。磁気印加除去部２０Ａ、２０Ｂ、磁気印加除去部２０Ｃ、２０Ｄ、磁気印加除去部２０Ｅ、２０Ｆは、それぞれが一体となって、図示左右方向に往復移動する。したがって、磁気印加除去部２０Ａ−２０Ｆは磁性体１０Ａ−１０Ｆに個別に磁気を印加する。
【００２５】
熱伝導部３０Ａ−３０Ｇは、磁性体１０Ａ−１０Ｆが磁気熱量効果により発生した熱を低温側熱交換部４０Ａから高温側熱交換部４０Ｂに向けて伝達する。熱伝導部３０Ａ−３０Ｇは、微小な力を加えただけで伸縮する特性を持つ材料を用いて形成する。この材料の一端は各磁性体１０Ａ−１０Ｆの一端に接着して取り付ける。この材料の他端には磁気印加除去部２０Ａ−２０Ｆの磁気を受けて吸引反発する材料を接着して取り付ける。
【００２６】
図１Ａに示すように、磁気印加除去部２０Ａ、２０Ｃ、２０Ｅは、磁性体１０Ａ−１０Ｆに対峙する側の極性をＮ極に、磁気印加除去部２０Ｂ、２０Ｄ、２０Ｆは、磁性体１０Ａ−１０Ｆに対峙する側の極性をＳ極に、それぞれ着磁する。また、熱伝導部３０Ａ、３０Ｃ、３０Ｅに取り付ける材料の磁気印加除去部２０Ａ、２０Ｃ、２０Ｅに対峙する側の極性をＳ極に、磁気印加除去部２０Ｂ、２０Ｄ、２０Ｆに対峙する側の極性をＮ極に、それぞれ着磁する。熱伝導部３０Ｂ、３０Ｄ、３０Ｆ、３０Ｇに取り付ける材料の磁気印加除去部２０Ａ、２０Ｃ、２０Ｅに対峙する側の極性をＮ極に、磁気印加除去部２０Ｂ、２０Ｄ、２０Ｆに対峙する側の極性をＳ極に、それぞれ着磁する。
【００２７】
熱伝導部３０Ａ−３０Ｇは、図１Ａ、Ｂに示すように、磁気印加除去部２０Ａ−２０Ｆの位置に応じて、磁気印加除去部２０Ａ−２０Ｆが各磁性体１０Ａ−１０Ｆに磁気を印加し除去するタイミングと同期して伸縮し、磁性体１０Ａ−１０Ｆとの並び方向に寸法が小さくなったり戻ったりする。このため、熱伝導部３０Ａ−３０Ｇは、磁気印加除去部２０Ａ−２０Ｆの位置に応じて磁性体１０Ａ−１０Ｆに接触したり、接触しなかったりし、磁性体の並び方向に向けて効率的に熱を伝達させることができる。
【００２８】
熱伝導部３０Ａは、低温側熱交換部４０Ａとこれと隣り合う磁性体１０Ａとの間で伸縮して両者を機械的に断続する。熱伝導部３０Ｂは、磁性体１０Ａと１０Ｂとの間で伸縮して両者を機械的に断続する。同様に、熱伝導部３０Ｃ、３０Ｄ、３０Ｅ、３０Ｆは、磁性体１０Ｂと１０Ｃとの間、磁性体１０Ｃと１０Ｄとの間、磁性体１０Ｄと１０Ｅとの間、磁性体１０Ｅと１０Ｆとの間で伸縮して両者を機械的に断続する。熱伝導部３０Ｇは、磁性体１０Ｆと高温側熱交換部４０Ｂとの間で伸縮して両者を機械的に断続する。
【００２９】
熱伝導部３０Ｂ、３０Ｄ、３０Ｆは、同じタイミングで、磁性体１０Ａと１０Ｂとの間、磁性体１０Ｃと１０Ｄとの間、磁性体１０Ｅと１０Ｆとの間で伸縮し両者を機械的に断続する。また、熱伝導部３０Ａ、３０Ｃ、３０Ｅ、３０Ｇも、同じタイミングで、低温側熱交換部４０Ａと磁性体１０Ａとの間、磁性体１０Ｂと１０Ｃとの間、磁性体１０Ｄと１０Ｅとの間、磁性体１０Ｆと高温側熱交換部４０Ｂとの間で伸縮し両者を機械的に断続する。熱伝導部３０Ｂ、３０Ｄ、３０Ｆと熱伝導部３０Ａ、３０Ｃ、３０Ｅ、３０Ｇとは交互に伸縮を繰り返す。
【００３０】
図１Ａに示すように、磁気印加除去部２０Ａ、２０Ｂが磁性体１０Ａに、磁気印加除去部２０Ｃ、２０Ｄが磁性体１０Ｃに、磁気印加除去部２０Ｅ、２０Ｆが磁性体１０Ｅに、それぞれ位置する。このときには、磁性体１０Ａ、１０Ｃ、１０Ｅに対して磁気が印加され、磁性体１０Ｂ、１０Ｄ、１０Ｆには磁気が印加されておらず磁気が除去されている。したがって、磁性体１０Ａ、１０Ｃ、１０Ｅは発熱する。そして同時に、熱伝導部３０Ｂが磁性体１０Ａと１０Ｂとの間を、熱伝導部３０Ｄが磁性体１０Ｃと１０Ｄとの間を、熱伝導部３０Ｆが磁性体１０Ｅと１０Ｆとの間を、それぞれ接続する。
【００３１】
したがって、磁性体１０Ａ、１０Ｃ、１０Ｅが磁気熱量効果により発生した熱は磁性体１０Ｂ、１０Ｄ、１０Ｆにそれぞれ移動する。このときには、熱伝導部３０Ｂ、３０Ｄ、３０Ｆの材料には磁気印加除去部２０Ａ−２０Ｆの磁気との間で反発力が働く。この反発力は熱伝導部３０Ｂ、３０Ｄ、３０Ｆの寸法を伸ばす。したがって、熱伝導部３０Ｂ、３０Ｄ、３０Ｆは、磁性体１０Ａと１０Ｂとの間、磁性体１０Ｃと１０Ｄとの間、磁性体１０Ｅと１０Ｆとの間を接続する。一方、熱伝導部３０Ａ、３０Ｃ、３０Ｅの材料には磁気印加除去部２０Ａ−２０Ｆの磁気との間で吸引力が働く。この吸引力は熱伝導部３０Ａ、３０Ｃ、３０Ｅの寸法を縮める。熱伝導部３０Ｇには磁気との力がほとんど働かないので、磁気を受けていないときの自然な寸法に戻る。したがって、熱伝導部３０Ａ、３０Ｃ、３０Ｅ、３０Ｇは、低温側熱交換部４０Ａと磁性体１０Ａとの間、磁性体１０Ｂと１０Ｃとの間、磁性体１０Ｄと１０Ｅとの間及び高温側熱交換部４０Ｂと磁性体１０Ｆとの間を遮断する。
【００３２】
次に、図１Ｂに示すように、磁気印加除去部２０Ａ、２０Ｂが磁性体１０Ｂに、磁気印加除去部２０Ｃ、２０Ｄが磁性体１０Ｄに、磁気印加除去部２０Ｅ、２０Ｆが磁性体１０Ｆに、それぞれ位置する。このときには、磁性体１０Ｂ、１０Ｄ、１０Ｆに対して磁気が印加され、磁性体１０Ａ、１０Ｃ、１０Ｅには磁気が印加されておらず磁気が除去されている。したがって、磁性体１０Ｂ、１０Ｄ、１０Ｆは発熱する。そして同時に、熱伝導部３０Ａが低温側熱交換部４０Ａと磁性体１０Ａとの間を、熱伝導部３０Ｃが磁性体１０Ｂと１０Ｃとの間を、熱伝導部３０Ｅが磁性体１０Ｄと１０Ｅとの間を、熱伝導部３０Ｇが磁性体１０Ｆと高温側熱交換部４０Ｂとの間を、それぞれ接続する。
【００３３】
このときには、磁性体１０Ａ、１０Ｃ、１０Ｅが磁気熱量効果により吸熱され、磁性体１０Ｂ、１０Ｄ、１０Ｆが磁気熱量効果により発熱する。したがって、低温側熱交換部４０Ａから磁性体１０Ａに、磁性体１０Ｂから磁性体１０Ｃに、磁性体１０Ｄから磁性体１０Ｅに、磁性体１０Ｆから高温側熱交換部４０Ｂに熱が移動する。このときには、熱伝導部３０Ｂ、３０Ｄ、３０Ｆの材料には磁気印加除去部２０Ａ−２０Ｆの磁気との間で反発力が働く。この反発力は熱伝導部３０Ｂ、３０Ｄ、３０Ｆの寸法を縮める。したがって、熱伝導部３０Ｂ、３０Ｄ、３０Ｆは、磁性体１０Ａと１０Ｂとの間、磁性体１０Ｃと１０Ｄとの間、磁性体１０Ｅと１０Ｆとの間を遮断する。一方、熱伝導部３０Ｃ、３０Ｅの材料には磁気印加除去部２０Ａ−２０Ｆの磁気との間で吸引力が働く。この吸引力は熱伝導部３０Ｃ、３０Ｅの寸法を伸ばす。熱伝導部３０Ａには磁気との力がほとんど働かないので、磁気を受けていないときの自然な寸法に戻る。また、熱伝導部３０Ｇには磁気印加除去部２０Ｅ、２０Ｆの磁気との間で反発力が働く。この反発力は熱伝導部３０Ｇの寸法を伸ばす。したがって、熱伝導部３０Ａ、３０Ｃ、３０Ｅ、３０Ｇは、低温側熱交換部４０Ａと磁性体１０Ａとの間、磁性体１０Ｂと１０Ｃとの間、磁性体１０Ｄと１０Ｅとの間及び高温側熱交換部４０Ｂと磁性体１０Ｆとの間を接続する。
【００３４】
以上のように、磁気印加除去部を図示左右方向に連動して往復移動させることによって、磁性体は発熱と吸熱を交互に繰り返す。さらに、磁気印加除去部の移動に連動して、熱伝導部３０Ａ−３０Ｇは、低温側熱交換部４０Ａ、磁性体１０Ａ−１０Ｆ、高温側熱交換部４０Ｂそれぞれの間で断続を繰り返す。このため、磁気熱量効果により得られた磁性体の熱が低温側熱交換部４０Ａから高温側熱交換部４０Ｂに移動する。
【００３５】
図２は、本発明の磁気冷暖房の効果を示すグラフである。このグラフに示すように、磁気冷凍機が動作を開始した後の比較的初期時には、低温側熱交換部４０Ａと高温側熱交換部４０Ｂとの間の温度差は小さい。時間が経過するにしたがって低温側熱交換部４０Ａと高温側熱交換部４０Ｂとの間の温度差が次第に大きくなっていき、最終的には、長時間経過後の直線で示すように、低温側熱交換部４０Ａと高温側熱交換部４０Ｂとの間の温度差が最大になる。この状態で、低温側熱交換部４０Ａの熱を利用して、たとえば室内の温度を下げることができ、高温側熱交換部４０Ｂの熱を利用して、たとえば室内の温度を上げることができる。
【００３６】
次に、図１のように、各磁性体ブロックに対応して設けた磁気印加除去部を図示左右方向に連動して往復移動させたときに熱が移動していく様子を図３の模式図に基づいて説明する。
【００３７】
まず前提として、全ての磁性体は同一材料で形成されており、全ての磁性体の磁気熱量効果が同一の種類であって、温度変化量が５℃のものを用いた場合を想定する。具体的には、全ての磁性体は、磁気を印加されると５℃温度が上昇し、磁気が除去されると５℃温度が下降する特性を持っていると想定する。
【００３８】
また、各熱伝導部３０Ａ−３０Ｇの寸法は、磁気印加除去部２０Ａ−２０Ｆの磁気の影響が全くないときには、図３の（０）のような自然な寸法になる。熱伝導部３０Ａは低温側熱交換部４０Ａと接触している状態が自然な寸法である。一方、熱伝導部３０Ｂ−３０Ｇは、隣接する磁性体１０Ｂ、１０Ｄ、１０Ｆや高温側熱交換部４０Ｂに接触しない状態が自然な寸法である。
【００３９】
図３の（１）に示すように、初期の状態では全ての磁性体１０Ａ−１０Ｆが室温の２０℃になっている。このときには、各熱伝導部３０Ａ−３０Ｇは磁気印加除去部２０Ａ−２０Ｆの磁気の影響を受けて、図示のように、その寸法が伸びたり縮んだりしている。なお、低温側熱交換部４０Ａと高温側熱交換部４０Ｂとの間で、交互に配置する磁性体と熱伝導部は熱輸送器を形成する。
【００４０】
次に、図３の（２）に示すように、この状態で磁気印加除去部２０Ａ−２０Ｆを一斉に右側に移動させ、右隣に位置する磁性体１０Ｂ、１０Ｄ、１０Ｆに磁気を印加する。これにより、図３の（２）に示すように、熱伝導部３０Ａ、３０Ｃ、３０Ｅ、３０Ｇにより、低温側熱交換部４０Ａと磁性体１０Ａとの間、磁性体１０Ｂと１０Ｃとの間、磁性体１０Ｄと１０Ｅとの間、磁性体１０Ｆと高温側熱交換部４０Ｂとの間で熱伝導が行われる。一方、熱伝導部３０Ｂ、３０Ｄ、３０Ｆは、磁性体１０Ａと１０Ｂとの間、磁性体１０Ｃと１０Ｄとの間、磁性体１０Ｅと１０Ｆとの間の熱伝導を遮断する。
【００４１】
図３の（２）の状態では、磁気が除去された磁性体１０Ａ、１０Ｃ、１０Ｅの温度が１５℃に低下し、磁気が印加された磁性体１０Ｂ、１０Ｄ、１０Ｆの温度が２５℃に上昇する。このため、図に示すように、熱伝導部を介して温度の高い方から温度の低いほうに熱が移動する。
【００４２】
この熱の移動によって、図３の（２）´に示すように、磁性体１０Ａと低温側熱交換部４０Ａの温度が１７．５℃になり、磁性体１０Ｆと高温側熱交換部４０Ｂの温度が２２．５℃になる。
【００４３】
次に、図３の（３）に示すように、磁気印加除去部２０Ａ−２０Ｆを一斉に左側に移動させ、左隣に位置する磁性体１０Ａ、１０Ｃ、１０Ｅに磁気を印加する。これにより、図３の（３）に示すように、熱伝導部３０Ｂ、３０Ｄ、３０Ｆにより、磁性体１０Ａと１０Ｂとの間、磁性体１０Ｃと１０Ｄとの間、磁性体１０Ｅと１０Ｆとの間で熱伝導が行われる。一方、熱伝導部３０Ａ、３０Ｃ、３０Ｅ、３０Ｇは、低温側熱交換部４０Ａと磁性体１０Ａとの間、磁性体１０Ｂと１０Ｃとの間、磁性体１０Ｄと１０Ｅとの間、磁性体１０Ｆと高温側熱交換部４０Ｂとの間の熱伝導を遮断する。
【００４４】
図３の（３）の状態では、磁気が印加された磁性体１０Ａ、１０Ｃ、１０Ｅの温度が図３の（２）´の状態の温度から５℃上昇し、磁気が除去された磁性体１０Ｂ、１０Ｄ、１０Ｆの温度が図３の（２）´の状態の温度から５℃低下する。このため、図に示すように、熱伝導部を介し隣接する磁性体との間で温度の高い方から温度の低いほうに熱が移動する。
【００４５】
この熱の移動によって、図３の（３）´に示すように、低温側熱交換部４０Ａの温度が１７．５℃になり、磁性体１０Ａ、１０Ｂの温度が１８．７５℃になる。また、磁性体１０Ｃ、１０Ｄの温度が２０℃になり、磁性体１０Ｅ、１０Ｆの温度が２１．２５℃になる。そして、高温側熱交換部４０Ｂの温度が２２．５℃になる。
【００４６】
以上のように、磁気印加除去部を磁性体に沿って左右に往復移動させることによって、
各熱伝導部材３０Ａ−３０Ｇが磁性体１０Ａ−１０Ｆとの並び方向に伸縮し、低温側熱交換部４０Ａから高温側熱交換部４０Ｂに熱が移動していく。時間が経過するにしたがって、図２に示したように、低温側熱交換部４０Ａと高温側熱交換部４０Ｂとの間の温度差が大きくなっていく。最終的には、低温側熱交換部４０Ａと高温側熱交換部４０Ｂとの間の温度差が安定する。この状態で、低温側熱交換部４０Ａの熱を利用して、たとえば室内の温度を下げることができ、高温側熱交換部４０Ｂの熱を利用して、たとえば室内の温度を上げることができる。
【００４７】
なお、図１及び図３の説明は、発現される磁気熱量効果の種類が同じ同一材料の磁性体として正の磁性体を用いた場合に当てはまる。発現される磁気熱量効果の種類が同じ同一材料の磁性体として負の磁性体を用いた場合には、熱の移動方向は図１及び図３に示した方向とは逆になる。したがって、負の磁性体を用いた場合、低温側熱交換部４０Ａと高温側熱交換部４０Ｂの位置が図１及び図３とは逆になる。
【００４８】
以上が、本発明に適用する磁気冷暖房の原理である。以上では、２つの磁性体を１組として磁性体ブロックを形成し、この磁性体ブロックをさらに３つ一列に配列して磁性体ユニットを形成する形態について述べた。
【００４９】
しかし、本発明は、この形態には限られず、さらに多くの磁性体を一列に配列して磁性体ブロックを形成し、さらに多くの磁性体ブロックを一列に配列して磁性体ユニットを形成する形態にも適用できる。さらに、本発明は、磁性体ユニットを複数並列に環状に配置する形態にも適用できる。これらの形態の場合にも、磁性体ブロックごとに磁気印加除去部を設けるのは、上記の形態の場合と同一である。
【００５０】
（熱伝導部の構造）
次に、本実施形態に係る磁気冷暖房装置が採用する熱伝導部の具体的な構造について説明する。図４は本実施形態に係る熱伝導部の構造図である。
【００５１】
図１に示したように、熱伝導部３０Ａと３０Ｂは磁性体１０Ａの対向する両面に、熱伝導部３０Ｃと３０Ｄは磁性体１０Ｃの対向する両面に、熱伝導部３０Ｅと３０Ｆは磁性体１０Ｅの対向する両面に、それぞれ設ける。熱伝導部３０Ｇは磁性体１０Ｆの高温側熱交換部４０Ｂ側の片面に設ける。
【００５２】
図４では、磁性体１０Ａの対向する両面に取り付ける熱伝導部３０Ａと３０Ｂを例示する。熱伝導部３０Ａ、３０Ｂは、磁性体１０Ａの対向する両面に取り付ける。熱伝導部３０Ａは柔軟性材料３４Ａと磁性材料３２Ａで構成し、熱伝導部３０Ｂは柔軟性材料３４Ｂと磁性材料３２Ｂで構成する。柔軟性材料３４Ａ、３４Ｂは、微小な力を加えただけで伸縮する特性を持ち伸縮が容易で伸縮の周波数応答性が良好な材料で形成する。磁性材料３２Ａ、３２Ｂは、磁気印加除去部１０Ａ−１０Ｆの磁気を受けて吸引力と反発力を生じる材料で形成する。柔軟性材料３４Ａと３４Ｂは磁性体１０Ａに接着剤で取り付ける。磁性材料３２Ａと３２Ｂは、柔軟性材料３４Ａと３４Ｂに接着剤で取り付ける。熱伝導部３０Ａ、３０Ｂは、磁性体１０Ａに効率的に熱を伝達させなければならないので、柔軟性材料３４Ａ、３４Ｂ、磁性材料３２Ａ、３２Ｂには熱伝達率の高い材料を選定している。また、磁性材料３２Ａ、３２Ｂは、磁性体１０Ａに効率的に熱を伝達させるだけでなく、磁気印加除去部２０Ａ、２０Ｂの磁気で大きな吸引力と反発力を得ることができる材料を選定している。
【００５３】
柔軟性材料３４Ａの両面には接着剤を極薄く塗って、磁性体１０Ａと磁性材料３２Ａとを貼り付ける。柔軟性材料３４Ｂの両面には接着剤を極薄く塗って、磁性体１０Ａと磁性材料３２Ｂとを貼り付ける。接着剤は、磁性材料３２Ａと柔軟性材料３４Ａ、柔軟性材料３４Ａと磁性体１０Ａとの間、磁性材料３２Ｂと柔軟性材料３４Ｂ、柔軟性材料３４Ｂと磁性体１０Ａとの間の熱伝導性を阻害しないようにする。このため、熱伝導性の接着剤を用いるか、熱伝導性の良好な銅やアルミなどの金属粉を接着性が保持される程度に混入した接着剤を用いる。
【００５４】
磁気印加除去部２０Ａ、２０Ｂは、磁性体１０Ａに対峙する側の極性をＮ極、Ｓ極に着磁してある。したがって、熱伝導部３０Ａに取り付ける磁性材料３２Ａの磁気印加除去部２０Ａに対峙する側の極性はＳ極に、磁気印加除去部２０Ｂに対峙する側の極性はＮ極に着磁する。一方、熱伝導部３０Ｂに取り付ける磁性材料３２Ｂの磁気印加除去部２０Ａに対峙する側の極性はＮ極に、磁気印加除去部２０Ｂに対峙する側の極性はＳ極に着磁する。
【００５５】
したがって、磁性体１０Ａに磁気印加除去部２０Ａ、２０Ｂが位置すると、磁性材料３２Ａには磁気印加除去部２０Ａ、２０Ｂの磁気との間で吸引力が働き、柔軟性材料３４Ａの寸法（厚み）が図４に示すように１０％程度小さくなる。これによって、隣接する磁性体との間に空気層を形成することができる。隣接する磁性体との間の断熱性は２０−３０μｍの空気層が確保できれば十分である。一方、磁性材料３２Ｂには磁気印加除去部２０Ａ、２０Ｂの磁気との間で反発力が働き、柔軟性材料３４Ｂの寸法が図４に示すように伸びる。これによって、熱伝導部３０Ａ、３０Ｂを、隣接する磁性体と機械的に断続することができ、磁気印加除去部２０Ａ、２０Ｂの磁気を利用して断熱部材としてまたは熱伝導部材として機能させることができる。
【００５６】
このように、磁気の印加、除去によって伸縮する熱伝導部３０Ａ、３０Ｂに用いると、隣接する磁性体に磁性材料３２Ａ、３２Ｂが接触しまた離れるという動作だけで熱伝導を断続させることができる。このため、従来のように、熱伝導を断続させるために熱伝導部を磁性体間で摺動させる必要がなく、熱伝導部の耐久性が向上し、同時に信頼性も向上する。磁気冷暖房装置を車載するためには小型化が要求され、小型化するためには磁気冷暖房装置の高周波化が必要である。高周波化するためには、磁性体間の熱伝達を高速（例えば０．１秒程度）で行う必要がある。これには、柔軟性材料３４Ａ、３４Ｂの伸縮の周波数応答性と耐久性を確保すればよい。これは磁性体間での摺動の耐久性を確保することに比較したら非常にたやすいことである。
【００５７】
次に、図５−図７を参照して本実施形態に係る磁気冷暖房装置の構成について説明する。本実施形態に係る磁気冷暖房装置は、図１に示した磁気冷暖房と同一の原理を用いる。図５は、本実施形態に係る磁気冷暖房装置の固定部の構成図である。図６は、本実施形態に係る磁気冷暖房装置の回転部の構成図である。図７は、本実施形態に係る磁気冷暖房装置の断面図である。
【００５８】
（磁気冷暖房装置の構成）
図５及び図７に示すように、磁気冷暖房装置の固定部１００は円形状に形成する。固定部１００の中心部分には円筒状の高温側熱交換部４０Ｂを設け、高温側熱交換部４０Ｂを取り囲むように円形状の低温側熱交換部４０Ａを設ける。低温側熱交換部４０Ａと高温側熱交換部４０Ｂとの間の空間に１ｍｍ程度の厚みの熱輸送器配置板１５０（図７参照）をはめ込み、低温側熱交換部４０Ａと高温側熱交換部４０Ｂとで固定する。
【００５９】
熱輸送器配置板１５０上の中心角３０度の扇状の空間に、図５及び図７に示すように、磁気熱量効果を有する磁性体１０Ａ−１０Ｆとこれらの磁性体の熱を輸送する熱伝導部３０Ａ−３０Ｇとを交互に配置する。交互に配置した磁性体１０Ａ−１０Ｆと熱伝導部３０Ａ−３０Ｇで１つの熱輸送器５０を構成する。したがって、図５に示すように、熱輸送器配置板１５０上には、中心角３０度ごとに１つの扇状の熱輸送器５０が配置され、熱輸送器配置板１５０上には、並列に合計１２個の扇状の熱輸送器５０が形成される。なお、１２個の扇状の熱輸送器５０のそれぞれの間には熱絶縁を図るための空間を形成してある。また、低温側熱交換部４０Ａは熱輸送器５０の一端に熱伝導部３０Ａを介して配置される。さらに、高温側熱交換部４０Ｂ熱輸送器５０の他端に熱伝導部３０Ｇを介して配置される。低温側熱交換部４０Ａと高温側熱交換部４０Ｂの内部には、熱交換効率を向上させるためフィン４１（図７参照）と４２（図５参照）を設けている。
【００６０】
熱輸送器配置板１５０は、互いに独立して分離された１２個の熱輸送器５０を配置しているので、熱輸送器５０が輸送している熱を奪わないように、熱輸送器配置板１５０は断熱性の高い材料で形成するか、熱輸送器配置板１５０と熱輸送器５０との間に断熱性の高い材料を挟む。なお、熱輸送器配置板１５０は磁性体に印加される磁束を減少させてはならないので、透磁率の非常に高い鉄などの材料で形成することが好ましい。また、熱輸送器５０は熱輸送器配置板１５０の上側に設けたが、熱輸送器配置板１５０の下側に設けても良い。また、熱輸送器配置板１５０は上下の熱輸送器配置板１５０に挟まれるように設けても良い。
【００６１】
磁性体１０Ａ−１０Ｆは、本実施形態では同一材料で形成しており、同一材料として正の磁性体を用いる。正の磁性体は、磁気を印加していないときには常磁性状態（磁気スピンが無秩序の状態）となり、磁気を印加すると強磁性状態（磁気スピンが一方向に揃う状態）となる、常磁性状態と強磁性状態が可逆的に生じる材料を用いて製造する。
【００６２】
正の磁性体の材料としては、ＧｄやＧｄをベースとした合金である、Ｇｄ−Ｙ系、Ｇｄ−Ｄｙ系、Ｇｄ−Ｅｒ系、Ｇｄ−Ｈｏ系、Ｌａ（Ｆｅ，Ｓｉ）１３やＬａ（Ｆｅ，Ａｌ）１３などの磁性材料を用いることができる。
【００６３】
一方、本実施形態では用いていないが、磁性体１０Ａ−１０Ｆに同一材料として負の磁性材料を用いることもできる。負の磁性体は、磁気を印加していないときには強磁性状態（磁気スピンが一方向に揃う状態）となり、磁気を印加すると常磁性状態（磁気スピンが無秩序の状態）となる、強磁性状態と常磁性状態が可逆的に生じる材料を用いて製造される。
【００６４】
負の磁性体の材料としては、ＦｅＲｈ合金、ＣｏＭｎＳｉＧｅ系、ＮｉＭｎＳｎ系などの磁性材料を用いることができる。
【００６５】
一般的に、正の磁性体と負の磁性体は、磁気の印加に対して、熱発生が、発熱するか、吸熱するか反対なので、正の磁性体と負の磁性体の磁気熱量効果による温度変化の大きさは相違する。したがって、本実施形態のように、正か負のどちらか一方の磁性体を用いた場合には、全ての磁性体の磁気熱量効果による温度変化の大きさが同一になる。したがって、磁気冷暖房装置全体として安定した熱伝達特性が得られ熱輸送効率が向上する。また、正の磁性体の磁気熱量効果に比較して負の磁性体の磁気熱量効果の方が小さいので、熱輸送効率を考慮すると、正の磁性体を用いることが好ましい。さらに、負の磁性体の材料は正の磁性体の材料に比較して希少な材料を用いることになるので、コストの面でも正の磁性体を用いることが好ましい。
【００６６】
本実施形態では、磁性体１０Ａ−１０Ｆ及び熱伝導部３０Ａ−３０Ｇの形状を、扇を径方向に一定の幅で切り取ったような形状とした。しかし、これ以外の形状、例えば、球状、楕円体状、立方体状、円柱状、楕円柱状などの形状を採用しても良い。
【００６７】
熱輸送器５０の各磁性体１０Ａ−１０Ｆに選択的に磁気を印加し除去する磁気印加除去部２０Ａ−２０Ｆは、図６、図７に示す回転部２００Ａ、２００Ｂに形成する。
【００６８】
回転部２００Ａ、２００Ｂはその中心部が開口し、その中心部にはベアリング２１０Ａ、２１０Ｂを設けてある。また、回転部２００Ａ、２００Ｂの外周部にはベアリング２２０Ａ、２２０Ｂを設けてある。ベアリング２１０Ａ、２１０Ｂ、ベアリング２２０Ａ、２２０Ｂは、回転部２００Ａ、２００Ｂを固定部１００の上下面で回転自在に支持する。したがって、回転部２００Ａ、２００Ｂは高温側熱交換部４０Ｂを回転軸として図示矢印方向（図６参照）に回転する。
【００６９】
回転部２００Ａ、２００Ｂの一方の面の外周にはリングギア２３０Ａ、２３０Ｂを取り付ける。リングギア２３０Ａ、２３０Ｂは、サーボモータ３００Ａ、３００Ｂのギア３１０Ａ、３１０Ｂに噛み合う。サーボモータ３００Ａが回転すると、ギア３１０Ａと噛み合うリングギア２３０Ａが自転して回転部２００Ａが回転する。また、サーボモータ３００Ｂが回転すると、ギア３１０Ａと噛み合うリングギア２３０Ａが自転して回転部２００Ａが回転する。サーボモータ３００Ａと３００Ｂを同期して回転させると、回転部２００Ａと２００Ｂが一体となって回転する。
【００７０】
本実施形態では、サーボモータ３００Ａ、３００Ｂを同期して回転させる。したがって、回転部２００Ａと２００Ｂは高温側熱交換部４０Ｂを中心に、固定部１００を挟むようにして同一の回転速度で回転する。回転部２００Ａと２００Ｂを同期させて回転するには、回転部２００Ａと２００Ｂの基準位置とサーボモータ３００Ａ、３００Ｂの回転位置を検出することが必要である。そのため、図７に示すように、回転部２００Ａと２００Ｂの基準位置を検出するための基準位置検出センサ２５０Ａ、２５０Ｂを設けてある。また、サーボモータ３００Ａと３００Ｂの回転位置を検出するための回転位置検出センサをサーボモータ３００Ａと３００Ｂに内蔵してある。
【００７１】
図６及び図７に示すように、回転部２００Ａの片面とその面に対向する回転部２００Ｂの片面に、環状かつ放射状に永久磁石を配置する。回転部２００Ａと回転部２００Ｂの永久磁石はＮ極とＳ極とが対峙するように極性を考慮して配置する。回転部２００Ａの片面に配置した永久磁石と回転部２００Ｂの片面に配置した永久磁石は、常に対峙した状態となるように、回転部２００Ａと２００Ｂは同期して回転させる。図７に示すように、回転部２００Ａの永久磁石２０Ａ、２０Ｃ、２０Ｅと回転部２００Ｂの永久磁石２０Ｂ、２０Ｄ、２０Ｆは、回転部２００Ａと２００Ｂが回転中または停止中にかかわらず常に対峙した状態である。なお、本実施形態では、磁気印加除去部に永久磁石を用いたが、電磁石を用いても良い。電磁石を用いた場合には、回転部２００Ａ及び２００Ｂの構造が複雑になる。回転した状態で、電磁石への給電ができるようにしなければならないからである。したがって、本実施形態では、永久磁石を用いている。
【００７２】
なお、図７に示すように、固定部１００に回転部２００Ａと回転部２００Ｂを取り付けた状態で、固定部１００、回転部２００Ａ、回転部２００Ｂで囲まれた内部空間は減圧または真空に近い環境にする。内部空間を減圧または真空に近い環境にすれば、各熱輸送器５０は、真空内、または減圧下の環境内で設置されることになって、内部の空気への放熱が防止され、また、永久磁石が回転することによる空気抵抗が減少されるからである。
【００７３】
回転部２００Ａと２００Ｂが回転すると、３０度回転するごとに、固定部１００の各熱輸送器５０の磁性体は、１つおきに交互に磁気が印加または除去される。つまり、各熱輸器５０において、図１Ａのように磁性体１０Ａ、１０Ｃ、１０Ｅに磁気が印加される状態と図１Ｂのように磁性体１０Ｂ、１０Ｄ、１０Ｆに磁気が印加される状態とが交互に起こる。このため、回転部２００Ａと２００Ｂが３０度回転するごとに、各熱輸器５０の磁性体が発熱と吸熱を繰り返す。磁性体の単位時間当たりの発熱量は、回転部２００Ａと２００Ｂの回転速度によって変化する。発熱量を大きくしたければ回転部２００Ａと２００Ｂの回転速度を速くする。大きな発熱量が必要なければ２００Ａと２００Ｂの回転速度を遅くする。
【００７４】
各熱輸送器５０の磁性体が発熱しまた吸熱するときの熱を、低温側熱交換器４０Ａから高温側熱交換器４０Ｂに伝達させ、要求される熱量が得られるようにするためには、２００Ａと２００Ｂの回転速度を最適化しなければならない。２００Ａと２００Ｂの回転速度の最適化を制御するものが、図８以降に示す制御系である。
【００７５】
図８は、本実施形態に係る磁気冷暖房装置の制御系のブロック図である。また、図９は、図８の空調情報入力部のさらに具体的な制御系のブロック図である。
【００７６】
図８に示すように、本実施形態に係る磁気冷暖房装置の制御系は、基準位置検出センサ２５０Ａ、基準位置検出センサ２５０Ｂ、空調情報入力部２６０、サーボモータ３００Ａ、サーボモータ３００Ｂ、サーボモータ制御部３５０、空調制御部４００を有する。サーボモータ３００Ａ、サーボモータ３００Ｂは、自身の回転位置を検出する回転位置検出センサ３２０Ａ、３２０Ｂを備えている。
【００７７】
基準位置検出センサ２５０Ａは回転部２００Ａ（図７参照）に設定した基準位置を検出する。基準位置は回転部２００Ａの外周に設ける。例えば、光を反射する反射体を回転部２００Ａの外周に取り付けた場合には、その反射体の取り付け位置が基準位置となる。この場合、基準位置検出センサ２５０Ａには受発光素子を用い、反射体が受発光素子からの光を反射すると、基準位置が検出される。
【００７８】
基準位置検出センサ２５０Ｂは回転部２００Ｂに設定した基準位置を検出する。その他は基準位置検出センサ２５０Ａと同一である。
【００７９】
回転部２００Ａと回転部２００Ｂに設ける基準位置は、回転部２００Ａと回転部２００Ｂの永久磁石が固定部１００を介して正しく向き合うように（図７に示すように）、正確な位置に設定する。したがって、回転部２００Ａと回転部２００Ｂは、基準位置検出センサ２５０Ａと基準位置検出センサ２５０Ｂが、基準位置を常に同時に検出するように、同一の速度で同期して回転する。
【００８０】
空調情報入力部２６０は空調に必要な情報を入力する。空調に必要な情報は、設定温度、低温側熱交換部入口温度、低温側熱交換部出口温度、高温側熱交換部入口温度、高温側熱交換部出口温度である。空調情報入力部２６０の具体的な説明については、後述の図９に基づいて行う。
【００８１】
サーボモータ３００Ａ、サーボモータ３００Ｂは、熱輸送器５０の各磁性体に選択的に磁気を印加し除去するため磁気印加除去部を駆動するモータである。具体的には、サーボモータ３００Ａは、図６に示したように永久磁石が配置してある回転部２００Ａを回転させる。また、サーボモータ３００Ｂは、図６に示したように永久磁石が配置してある回転部２００Ｂを回転させる。サーボモータ３００Ａ、サーボモータ３００Ｂには、それぞれのサーボモータの回転位置を検出する回転位置検出センサ３２０Ａ、３２０Ｂを設けてある。回転位置検出センサ３２０Ａ、３２０Ｂで検出した回転位置は、サーボモータ３００Ａ、サーボモータ３００Ｂの回転速度を同期させるために用いる。
【００８２】
サーボモータ制御部３５０は、回転位置検出センサ３２０Ａ、３２０Ｂで検出した回転位置と、基準位置検出センサ２５０Ａ、２５０Ｂで検出した基準位置を用いて、サーボモータ３００Ａ、３００Ｂの回転を制御する。サーボモータ制御部３５０は、運転条件に応じてサーボモータ３００Ａ、３００Ｂの回転速度を制御する。ここで、運転条件とは、熱輸送器５０の要求熱量、低温側熱交換部４０Ａと高温側熱交換部との間の温度差である。
【００８３】
空調制御部４００は、本実施形態に係る磁気冷暖房装置の動作を総括的に制御する。空調制御部４００の具体的な説明については、後述の図９に基づいて行う。
【００８４】
図９に示すように、空調情報入力部２６０は、温度設定部２６２、低温側熱交換部入口温度センサ２６４、低温側熱交換部出口温度センサ２６６、高温側熱交換部入口温度センサ２６８、高温側熱交換部出口温度センサ２７０を有する。
【００８５】
温度設定部２６２は、磁気冷暖房装置が空調する車室内の温度を設定するコントローラである。低温側熱交換部入口温度センサ２６４は、図５に示した固定部１００の低温側熱交換部４０Ａに供給される冷媒の温度を検出する。低温側熱交換部入口温度センサ２６４は、低温側熱交換部４０Ａの冷媒入口部分に設ける。
【００８６】
低温側熱交換部出口温度センサ２６６は、図５に示した固定部１００の低温側熱交換部４０Ａから排出される冷媒の温度を検出する。低温側熱交換部出口温度センサ２６６は、低温側熱交換部４０Ａの冷媒出口部分に設ける。高温側熱交換部入口温度センサ２６８は、図５または図７に示した高温側熱交換部４０Ｂに供給される冷媒の温度を検出する。高温側熱交換部入口温度センサ２６８は、高温側熱交換部４０Ｂの冷媒入口部分に設ける。高温側熱交換部出口温度センサ２７０は、高温側熱交換部４０Ｂから排出される冷媒の温度を検出する。高温側熱交換部出口温度センサ２７０は、高温側熱交換部４０Ｂの冷媒出口部分に設ける。
【００８７】
温度設定部２６２、低温側熱交換部入口温度センサ２６４、低温側熱交換部出口温度センサ２６６、高温側熱交換部入口温度センサ２６８、高温側熱交換部出口温度センサ２７０を設けるのは、固定部１００でどの程度の熱量を低温側熱交換部４０Ａから高温側熱交換部４０Ｂに移動させなければならないかを知るためである。移動させなければならない熱量がわかれば、サーボモータ３００Ａ、３００Ｂの回転速度を調整することができる。
空調制御部４００は、設定温度、低温側熱交換部入口温度、低温側熱交換部出口温度、高温側熱交換部入口温度、高温側熱交換部出口温度を用いて、サーボモータ３００Ａ、３００Ｂの回転速度を調整する。
【００８８】
次に、本実施形態に係る磁気冷暖房装置の動作を、図１０のフローチャートに基づいて詳細に説明する。図１０は、本実施形態に係る磁気冷暖房装置の動作フローチャートである。
【００８９】
（磁気冷暖房装置の動作）
まず、操作者は、温度設定部２６２から車室内の設定温度を入力する。設定温度が入力されると、空調制御部４００は、要求熱量と要求温度差を入力する（Ｓ１）。空調制御部４００は、車室内の空間容量、現在の車室内の温度、車室内の設定温度を参照して、車室内を設定温度にするために必要な要求熱量を求める。また、低温側熱交換部４０Ａと高温側熱交換部４０Ｂとの温度差を求める。この求めた値を、要求熱量、要求温度差として入力する。
【００９０】
次に、空調制御部４００は、入力した要求熱量と要求温度差をあらかじめ記憶しているマップと照合して磁気印加周波数ｆを取得する（Ｓ２）。
【００９１】
空調制御部４００は磁気冷暖房装置を運転する（Ｓ３）。つまり、空調制御部４００は、求めた磁気印加周波数ｆを実現するために、サーボモータ制御部３５０に回転数の指示を出す。磁気印加周波数は、１つの磁性体に対して１秒間に何回磁気の印加除去をするかを示すものである。例えば、磁気印加周波数ｆが６Ｈｚであったとすると、図５から図７に示す構成の磁気冷暖房装置の場合、回転部２００Ａ、２００Ｂが１秒間に１回転すると６回磁気の印加除去が行われるので、回転部２００Ａ、２００Ｂに要求される回転数は６０ｒｐｍである。サーボモータ制御部３５０には、回転部２００Ａ、２００Ｂが６０ｒｐｍで回転するために必要なサーボモータ３００Ａ、３００Ｂの回転数を指示する。
【００９２】
次に、空調制御部４００は、空調動作を終了する指示が成されたか否かを判断する（Ｓ４）。空調動作の終了が指示されなければ（Ｓ４：ＮＯ）、ステップＳ３に戻り、空調動作の終了が指示されると（Ｓ４：ＹＥＳ）、処理を終了する。
【００９３】
以上のように、本実施形態に係る磁気冷暖房装置では、永久磁石が配置されている回転体２００Ａ、２００Ｂを回転させるだけで、低温側熱交換器から高温側熱交換器に向けて熱を移動させることができる。
【００９４】
本実施形態に係る磁気冷暖房装置では、以下のような効果を得ることができる。
【００９５】
各熱伝導部３０Ａ−３０Ｇは、磁気印加除去部２０Ａ−２０Ｆが各磁性体１０Ａ−１０Ｆに印加し除去する磁気を利用して伸縮するので、磁性体１０Ａ−１０Ｆ、低温側熱交換部４０Ａ、高温側熱交換部４０Ｂに対して摺動させずに熱を輸送させることができる。このため、各熱伝導部３０Ａ−３０Ｇに摺動の耐久性を持たせる必要がなく、各熱伝導部３０Ａ−３０Ｇの信頼性が向上する。また、摩擦による機械的な損失をなくすことができる。
【００９６】
また、各熱伝導部３０Ａ−３０Ｇは各磁性体１０Ａ−１０Ｆとの並び方向にのみ熱を輸送できるので、熱の輸送に際して熱的な損失が小さくできる。各熱伝導部３０Ａ−３０Ｇは磁気印加除去部２０Ａ−２０Ｆの磁気を利用して伸縮するので、熱伝導を制御する専用の装置を設ける必要がなく、磁気冷暖房装置の構成を簡素化できる。
【００９７】
さらに、各熱伝導部３０Ａ−３０Ｇは、伸縮に応じて、磁性体間１０Ｂ−１０Ｅ、磁性体１０Ａと低温側熱交換部４０Ａとの間、磁性体１０Ｆと高温側熱交換部４０Ｂとの間を、全ての接触面を使って接続するので、熱輸送能力及び熱輸送効率を向上させることができる。
【００９８】
各熱伝導部３０Ａ―３０Ｇは、磁気印加除去部２０Ａ−２０Ｆが各磁性体１０Ａ−１０Ｆに磁気を印加し除去するタイミングと同期して伸縮するので、低温側熱交換部４０Ａから高温側熱交換部４０Ｂに熱を効率的に輸送させることができる。
【００９９】
各熱伝導部３０Ａ―３０Ｇは、伸縮が容易で伸縮の周波数応答性が良好な柔軟性材料３４Ａ、３４Ｂと磁気印加除去部２０Ａ−２０Ｆの磁気を受けて吸引力と反発力を生じる磁性材料３２Ａ、３２Ｂとで構成した。このため、磁気印加除去部２０Ａ−２０Ｆの動きに応答して磁性体間の熱伝導が行われ、低温側熱交換部４０Ａから高温側熱交換部４０Ｂに熱を効率的に輸送させることができる。
【０１００】
熱輸送器５０の要求熱量、低温側熱交換部４０Ａと高温側熱交換部４０Ｂとの間の温度差の少なくともいずれかの運転条件に応じてサーボモータ３００Ａ、３００Ｂの回転速度を制御している。このため、磁気冷暖房装置の要求熱力に応じた最適な回転数でサーボモータ３００Ａ、３００Ｂを回転させることができ、運転条件に適合させて、最大限の効率で低温側熱交換部４０Ａから高温側熱交換部４０Ｂに熱を輸送させることができる。
【０１０１】
真空内、または減圧下の環境内に熱輸送器５０を設置すると、熱輸送器５０を構成する磁性体１０Ａ−１０Ｆと熱伝導部３０Ａ−３０Ｇの断熱性を向上させることができる。そのため、低温側熱交換部４０Ａから高温側熱交換部４０Ｂに効率的に熱を輸送させることができ磁気冷暖房装置の高出力化及びコンパクト化を達成することができる。
【符号の説明】
【０１０２】
１０Ａ−１０Ｆ  磁性体、
２０Ａ−２０Ｆ  永久磁石、
３０Ａ−３０Ｇ  熱伝導部、
４０Ａ  低温側熱交換部、
４０Ｂ  高温側熱交換部、
５０  熱輸送器、
３２Ａ、３２Ｂ  磁性材料、
３４Ａ、３４Ｂ  柔軟性材料、
１００  固定部、
２００Ａ、２００Ｂ  回転部（磁気印加除去部）、
３００Ａ、３００Ｂ  サーボモータ（モータ）、
２５０Ａ、２５０Ｂ  基準位置検出センサ。
【図１】
0005817353.tif 000002
【図２】
0005817353.tif 000003
【図３】
0005817353.tif 000004
【図４】
0005817353.tif 000005
【図５】
0005817353.tif 000006
【図６】
0005817353.tif 000007
【図７】
0005817353.tif 000008
【図８】
0005817353.tif 000009
【図９】
0005817353.tif 000010
【図１０】
0005817353.tif 000011